(57)【特許請求の範囲】
【請求項１】
座標検出のための所定のピッチで配設されたＸ，Ｙ軸方向の複数の電極線を有するタブレットが設けられており、座標指示器で示されたタブレット上の位置を検出する座標入力装置の検査方法で、該検査方法は検査対象である座標入力装置に、データを送受信するためのパソコンがケーブルを介して接続されており、さらに前記パソコンとデータ送受信するための補正値記憶装置がケーブルを介して接続されている検査装置において、前記タブレットの電極線からの信号を、前記座標指示器で検出し、得られた座標位置を決められた座標位置に補正する値を格納する補正値記憶装置と前記補正値を、別の座標入力装置に採用する座標入力装置の検査方法であって、前記座標入力装置から送信される座標位置より前記タブレットの座標値ずれ検査を実施し、１台目の座標入力装置の検査で算出された前記補正値を補正記憶装置に記憶し、２台目以降の検査に、前記１回目の検査で算出した補正値を採用することを特徴とする座標入力装置の検査方法。
【発明の詳細な説明】
【０００１】
【産業上の利用分野】
本発明は、座標入力装置の検出精度の検査方法に関し、更に詳細には座標入力装置のタブレットの検出精度を保証する為に、一度設定したタブレットの補正値を再利用できる様に改善するものである。
【０００２】
【従来の技術】
従来の座標入力装置は、タブレットの定められた分解能で座標位置を検出する様に制御ソフトが作成されており、座標入力装置に使用するデジタイザとしてのタブレットの検出の精度検査を実施する時は、定められた分解能での実測した座標位置をパソコン側に送信し、１台毎にタブレットの断線検査，タブレットの貼りずれを修正する補正値算出検査、及びその補正値が的確であるか否かの精度確認検査を実施していた。
【０００３】
【発明が解決しようとする課題】
しかし、上述した従来の検査方法では、いつまで経っても座標入力装置の検査時間の短縮が実現出来ず、検査時間の短縮の為にパソコン側の検査ソフトを変更するとしても、対応するソフトの数に限度があるという問題があった。
【０００４】
【課題を解決するための手段】
そこで本発明では、座標検出のための所定のピッチで配設されたＸ，Ｙ軸方向の複数の電極線を有するタブレットが設けられており、座標指示器で示されたタブレット上の位置を検出する座標入力装置の検査方法で、該検査方法は検査対象である座標入力装置に、データを送受信するためのパソコンがケーブルを介して接続されており、さらに前記パソコンとデータ送受信するための補正値記憶装置がケーブルを介して接続されている検査装置において、前記タブレットの電極線からの信号を、前記座標指示器で検出し、得られた座標位置を決められた座標位置に補正する値を格納する補正値記憶装置と前記補正値を、別の座標入力装置に採用する座標入力装置の検査方法であって、前記座標入力装置から送信される座標位置より前記タブレットの座標値ずれ検査を実施し、１台目の座標入力装置の検査で算出された前記補正値を補正記憶装置に記憶し、２台目以降の検査に、前記１回目の検査で算出した補正値を採用することを特徴とする座標入力装置の検査方法。
【０００５】
【作用】
本発明では、座標入力装置に関する一連の検査項目（タブレットの断線検査，タブレットの貼りずれを修正する補正値算出検査、及びその補正値が的確であるか否かの精度確認検査）中で、場合によって削除可能な項目があるのではないかと検討した結果、タブレットの貼りずれを修正する補正値算出検査が該当し、最初の１台で補正値を算出した後は、補正値記憶装置を設け、この補正値を再利用する為にその補正値記憶装置に算出した補正値を記憶させる。そこで、同じ組立工程によって座標入力装置が作成され、また、違う種類の座標入力装置の検査を実施する事もないので、最初の１台目で算出された補正値が２台目以降にも利用するものである。
【０００６】
【実施例】
以下、本発明の詳細を添付図面を参照して説明する。図１は本発明に使用する座標入力装置の全体の電気的ブロック図、図２はパソコン側の検査ソフトのフローチャート、図３、４はそれぞれ座標入力装置側、補正値記憶装置側の各々のフローチャートである。座標入力装置１の内部にはタブレット７の電極線が配置された座標位置検出領域２があり、更に座標入力装置１にはＣＰＵ３とプログラムを格納するＲＯＭ４、各種データの記録や読み込み，書き込み等を行うＲＡＭ６と、補正値を格納するＥＥＰＲＯＭ５が接続されている。また、補正値記憶装置８の内部にもＣＰＵ９とプログラムを格納するＲＯＭ１０、データの読み書き等を行うＲＡＭ１２と、補正値を記憶しておくＥＥＰＲＯＭ１１が接続されている。
【０００７】
次に実際の動作をフローチャートを参照しながら説明する。本発明のシステム開始時は、座標入力装置１と補正値記憶装置８の電源投入と、パソコン１３の電源投入と共に検査ソフトを動作させる。パソコン１３で動作している検査ソフトは、Ｉ／Ｆケーブル１４を通して送信されてくる座標入力装置１からの座標位置を使用して、タブレット７に設けられている電極線の断線検査を実施する。ショートやパターン切れが存在すると座標指示器であるスタイラスペンやカーソル等を座標入力装置１の座標位置検出領域２上をスライドさせても、パソコン１３の画面上では座標位置が表示されず、その部分が抜ける現象が発生する。この現象が発生した場合、操作者は断線と判断する。ここで、本来検出されるべき座標位置とは、座標支持器で指示されるタブレット上の決められた位置を座標入力装置以外の方法で正確に測定された座標位置のことである。
【０００８】
例えば本来検出されるべき座標位置が、Ｘ＝１００／Ｙ＝２００の場合で、タブレットの貼りずれによる実測の座標位置が、Ｘ＝９８／Ｙ＝２０３の場合、補正値はＸ＝＋２／Ｙ＝−３となる。補正値記憶装置８へＩ／Ｆケーブル１５を通して、記憶されている補正値をパソコン１３が受信するためのコマンドを送信（ステップ３）し、記憶されている補正値を受信する（ステップ４）。この時、一番最初の検査の場合に限り、補正値記憶装置８には補正値が記憶されていないので、受信値は本来の補正値の数字以外のものになっている為、判断を要する（ステップ５）。補正値が記憶されていない場合は、Ｉ／Ｆケーブル１４を通して送信されてくる座標入力装置１からの座標位置を使用して、補正値を算出する（ステップ６）。
【０００９】
タブレット７の貼りずれが大きい場合は補正値の算出が不可能な為、不良と判断して検査を終了する。補正値が記憶されていた場合（ステップ５）と、補正値の算出が可能だった場合（ステップ７）は、各々の補正値を使用しての精度確認検査、ここでは精度とは、仕様書内に通常定められている座標位置の誤差範囲で、例えば±５という場合は、本来検出されるべき座標位置が、Ｘ＝１００／Ｙ＝２００とすると、Ｘは９５〜１０５まで、Ｙは１９５〜２０５までが合格範囲であり、本検査は、座標入力装置１から送信されてくる座標位置（補正値を加算したもの）を使用しての誤差範囲を判断する。座標入力装置１からの座標位置を使用して、誤差範囲を算出する（ステップ８）。
【００１０】
次に、上記で算出された誤差範囲が仕様で定められた値より少ないか否かのチェックを実施する（ステップ９）。誤差範囲外の場合、２通りの判断を要し、記憶されていた補正値で精度が誤差範囲外であると確認した場合は、検査している座標入力装置１に対して補正値が適当でないとし、補正値の算出をし直す（ステップ６へ）。また、新規に算出した補正値での場合は、精度不良として検査を終了する。精度範囲内である場合には、新規算出補正値であれば補正値記憶装置８へ補正値を送信（ステップ１０）し、新規補正値、既存の記憶補正値に拘らず、座標入力装置１へ補正値を送信する（ステップ１１）。
【００１１】
座標入力装置１の動作は、座標位置が検出されたか否かを判断（ステップ１２）し、スタイラスペンやカーソル等で座標位置検出領域２に於いて検出が開始され、ＣＰＵ３によってＲＯＭ４の制御ソフトがタブレット７より座標位置を生成した場合、ＣＰＵ３により座標位置をＲＡＭ６へ保存し、Ｉ／Ｆケーブル１４を通してパソコン１３へ送信する。（ステップ１５）座標位置が生成されていない場合は、パソコン１３よりの補正値を受信したか否かを判断（ステップ１３）し、受信した場合は、その補正値をＣＰＵ３によってＲＡＭ６へ一度保存し、ＥＥＰＲＯＭ５へ格納する（ステップ１４）。
【００１２】
補正値記憶装置８の動作は、パソコン１３よりの補正値を受信したか否かを判断（ステップ１６）し、ＣＰＵ９により、ＲＯＭ１０のソフトで補正値を受信した場合は、ＣＰＵ９によってＲＡＭ１２に一度保存し、ＥＥＰＲＯＭ１１に記憶する（ステップ１９）。受信していない場合は、パソコン１３よりのコマンドを待ち受け（ステップ１７）、ＣＰＵ９により、ＲＯＭ１０のソフトでコマンドを受信した場合は、ＣＰＵ９によってＥＥＰＲＯＭ１１に記憶されている        補正値を一度ＲＡＭ１２に保存し、ＲＯＭ１０のソフトで、Ｉ／Ｆケーブル１５を通してパソコン１３へ送信する（ステップ１８）。
【００１３】
【発明の効果】
本発明では、一度算出した補正値を補正値記憶装置に記憶させ、次の座標入力装置の検査に再利用する事により、一連の検査項目中（タブレットの断線検査，タブレットの貼りずれを修正する補正値算出検査、及びその補正値が的確であるか否かの精度確認検査）より、補正値算出検査が削除可能で、検査時間を短縮する事も可能である。また、検査担当者の負担も少なくなる。
【図面の簡単な説明】
【図１】    座標入力装置全体の電気的ブロック図
【図２】    パソコン側検査ソフトフローチャート
【図３】    座標入力装置側フローチャート
【図４】    補正値記憶装置側フローチャート
【符号の説明】
１    座標入力装置
２    座標位置検出領域
３    ＣＰＵ
４    ＲＯＭ
５    ＥＥＰＲＯＭ
６    ＲＡＭ
７    タブレット
８    補正値記憶装置
９    ＣＰＵ
１０    ＲＯＭ
１１    ＥＥＰＲＯＭ
１２    ＲＡＭ
１３    パソコン
１４    Ｉ／Ｆケーブル
１５    Ｉ／Ｆケーブル
【図１】
0003735782.tif 000002
【図２】
0003735782.tif 000003
【図３】
0003735782.tif 000004
【図４】
0003735782.tif 000005